(57)【特許請求の範囲】
【請求項１】
荷札票と受領票とが切り取りミシン目を介して分離可能に連接された送り状の前記荷札票が貼着手段を介して被包装物に貼着され、
前記被包装物は、一側辺部を前記送り状における受領票側から荷札票と該被包装物との間に差し入れた透視可能な包装素材により胴巻き状に巻かれて覆われ、
かつ、前記包装素材の巻き重ね側である他方の側辺部と前記送り状下に差し入れ配置した側辺部とが重ねられて、送り状の前記受領票を前記包装素材の一方の側辺部と他方の側辺部との間で覆ってなるオーバーラップ部が形成され、
包装素材の胴巻き方向に直交する方向で対向する辺部が閉じ合わされているとともに、オーバーラップ部における内方側包装素材と外方側包装素材との直接重合部分が前記送り状を横断する線上で閉じ合わされていることを特徴とする送り状付き包装体。
【発明の詳細な説明】
【０００１】
【発明の属する技術分野】
本発明は送り状付き包装体に関するものである。
【０００２】
【発明が解決しようとする課題】
従来、通信販売業者などにおいて顧客側に冊子、カタログなどを配布するに際して、受取人である顧客の購買意欲が高まるようにするために透明な袋にその冊子やカタログなどを挿入しこれを配送業者を介して送付することが多く行われている。そして、袋が透明であることから、配送業者がその配送物を管理する上で必要とされる荷札票と受領票が分離可能に一体化した送り状を前記袋の表面に貼着したり、袋内に収める冊子やカタログなどの被包装物に貼着しており、配送作業者が配送過程の必要時に受領票を取り外す必要があることから、包装袋の表面に貼着されているものでは受領票の部分をはぎ取り、また、被包装物に直接取り付けられているものでは、受領票を取り出すためのスリットを予め設けるようにした包装体が提案されている。
しかしながら、包装体の表面に送り状を配置して外部にその送り状を表出させた場合、送り状が汚れて配送情報の判読が困難になったり、送り状自体や分離可能にしている受領票が外れてしまうという問題が生じ易いものである。また、スリットから受領票を取り出すようにしたものではその受領票を取り出すために指をスリットから包装体の中に差入れなければならず、受領票の取り出しが繁雑な作業となる不都合があった。
そこで本発明は上記事情に鑑み、荷札票と受領票とが分離可能に連接された送り状が包装素材に覆われる状態とするとともに、包装素材にスリットを設けることなく受領票を取り出し易い場所に位置させることを課題とし、送り状の保護と送り状に於ける受領票の取り出しが簡単に行えるようにすることを目的とする。
【０００３】
【課題を解決するための手段】
本発明は上記課題を考慮してなされたもので、荷札票と受領票とが切り取りミシン目を介して分離可能に連接された送り状の前記荷札票が貼着手段を介して被包装物に貼着され、前記被包装物は、一側辺部を前記送り状における受領票側から荷札票と該被包装物との間に差し入れた透視可能な包装素材により胴巻き状に巻かれて覆われ、かつ、前記包装素材の巻き重ね側である他方の側辺部と前記送り状下に差し入れ配置した側辺部とが重ねられて、送り状の前記受領票を前記包装素材の一方の側辺部と他方の側辺部との間で覆ってなるオーバーラップ部が形成され、包装素材の胴巻き方向に直交する方向で対向する辺部が閉じ合わされているとともに、オーバーラップ部における内方側包装素材と外方側包装素材との直接重合部分が前記送り状を横断する線上で閉じ合わされていることを特徴とする送り状付き包装体を提供して、上記課題を解消するものである。
【０００４】
【発明の実施の形態】
つぎに本発明を図１から図３に示す実施の形態に基づいて詳細に説明する。
図中１は送り状付き包装体で、該包装体１は被包装物２を透視可能な合成樹脂製のシートからなる包装素材３で包んでなるものである。まず、包装素材３で被包装物２が胴巻き状にして包んで包装素材辺部を重ねたオーバーラップ部４が形成されている。また、被包装物２にあっては、それぞれ配送情報が記載された荷札票５と受領票６とが切り取りミシン目７を介して連接された送り状８が貼着されているものであって、荷札票５の裏面に位置した貼着手段９を介して、前記被包装物２のオーバーラップ部４が形成された面側に貼り付けられている。そして、前記オーバーラップ部４を構成する外方側包装素材３ａと内方側包装素材３ｂとの間に前記送り状８の受領票６が位置しており、このオーバーラップ部４から送り状８が外部に表出しないようにしている。
【０００５】
そして、包装素材３により被包装物２を胴巻きして生じる胴巻き方向に直交する天地方向の開口部分、即ち、オーパーラップ部４に沿った方向で対向位置する包装素材３の辺部では胴巻きによって開口となるが、被包装物２の天地辺部に近接する位置で対向する包装素材をヒートシールにより閉じ合わせして封着部１０としている。
さらに、この包装体１では、オーバーラップ部４における外方側包装素材３ａと内方側包装素材３ｂとの直接重合部分が上記送り状８（荷札票５）を横断する線上で閉じ合わされてこの部分も封着部１０としているものであり、対向する二つの封着部１０とオーバーラップ部４に沿って形成された前記封着部１０とで包装素材３の内部に被包装物２を保持した状態としている。なお、図２において、封着部１０の位置を仮想線で示した。
オーバーラップ部４に沿って送り状８を横断する形で上記封着部１０を形成するには熱ローラーを接触させながら移動させればよく、内外包装素材３ｂ、３ａが直接重合している部分では溶着が生じ、送り状８が位置する部分では前記溶着が生じない。もちろん、送り状８に溶着しない温度設定で熱シールされるものである。
【０００６】
このようにして形成された包装体１において受領票６を取り外すには、オーバーラップ部４に外方から指を差入れ、受領票６を摘み持ってこれを引っ張るようにして切り取りミシン目７から分離すればよい。なお、オーバーラップ部４は上述したように三箇所の封着部１０で綴じられている状態となっているため、外方側包装素材３ａと内方側包装素材３ｂとの重なり度合いが常時維持されるようになり、指を差入れるなどの開き操作をしない限り外方側包装素材３ａと内方側包装素材３ｂとが重なってその間で受領票６を保持している。
なお、上記実施の例では包装素材による天地のヒートシールを行なって封着部を形成した後、オーバーラップ部での溶着を行なってオーバーラップ部での封着部を形成するようにしたが、封着する手順はこの逆であってもよい。
【０００７】
【発明の効果】
以上説明したように、本発明の送り状付き包装体によれば、透視可能な包装素材で被包装物を胴巻き状にして包んで包装素材辺部を重ねてなるオーバーラップ部が形成されるとともに、胴巻き方向に直交する方向で対向する辺部が閉じ合わされ、前記オーバーラップ部が位置する側の被包装物の表面に、荷札票と受領票とを分離可能に連接してなる送り状の前記荷札票が貼着されているとともに、前記受領票が前記オーバーラップ部の内部に配置され、オーバーラップ部における内方側包装素材と外方側包装素材との直接重合部分が前記送り状を横断する線上で閉じ合わされていることを特徴とするものである。このように被包装体に直接送り状が貼着されているため、その被包装物に受取人名などの個別情報が記載されている場合での突き合わせ確認が容易であり、包装後に送り状の貼着を包装素材の表面貼着する形式のものに比べて貼り間違いが生じ難いものとなる。また、受領票が外方から開けることのできるオーバーラップ部に位置するため、この受領票の分離操作が簡単になる。さらに、送り状全体が包装素材に覆われているため、汚れや傷付きなどから保護できて配送情報を確認し易い状態に維持できるなど、実用性に優れた効果を奏するものである。
【図面の簡単な説明】
【図１】本発明に係る送り状付き包装体の一例を示す説明図である。
【図２】一例におけるオーバーラップ部と交差する送り状位置での断面を示す説明図である。
【図３】同じく一例におけるオーバーラップ部と交差する送り状位置以外での断面を示す説明図である。
【符号の説明】
１…送り状付き包装体
２…被包装物
３…包装素材
３ａ…外方側包装素材
３ｂ…内方側包装素材
４…オーバーラップ部
５…荷札票
６…受領票
７…切り取りミシン目
８…送り状
１０…封着部
【図１】
0004243905.tif 000002
【図２】
0004243905.tif 000003
【図３】
0004243905.tif 000004